(57)【要約】【課題】  本発明は、フェルトの交換が容易な汚れ拭取り装置を提供することを目的とする。【解決手段】  ノズル等のための汚れ拭き取り装置は、汚れを拭取るエンドレスタイプのフェルトと、フェルトを移動可能に保持する一対の保持部であって、組立時に対の保持部の間にノズル等を挿入可能である保持部と、保持部を取付け取外し可能で且つ揺動可能に支持するベース部と、フェルトを保持部において移動させる第１の駆動部と、保持部を揺動開閉する第２の駆動部とを具備する。各保持部は、ベースとなる保持部本体と、両端にフェルトを支持するシャフトとを具備しており、第１の駆動部には直線状の溝が形成されており、保持部本体には、一方はテーパー状に他方は傾斜した平行状のカム溝が対で形成されており、各シャフトには平行面を有する突起を設け、第２の駆動部には丸ピンの突起が設けられている。【選択図】      図１
2006021131.tif 000002
【特許請求の範囲】
【請求項１】
ノズル等の対象物の汚れを拭き取るための汚れ拭き取り装置において、この汚れ拭き取り装置は、
汚れを拭き取るエンドレスタイプのフェルトと、
前記フェルトを移動可能に保持する一対の保持部であって、組立時に前記対の保持部の間に前記対象物を挿入可能である保持部と、
前記保持部を取付け取外し可能で且つ揺動可能に支持するベース部と、
前記フェルトを前記保持部において移動させる第１の駆動部と、
前記保持部を揺動開閉する第２の駆動部と、
を具備しており、
前記各保持部は、ベースとなる保持部本体と、両端にフェルトを支持するシャフトと、を具備しており、
前記各シャフトには平行面を有する突起が具備され、前記第１の駆動部端には直線状の溝が形成されており、前記保持部本体には、一方はテーパー状に他方は傾斜した平行状のカム溝が対で形成されていて、前記第２の駆動部には、丸ピンの突起が設けられることを特徴とする汚れ拭き取り装置。
【請求項２】
前記第１の駆動部端の前記溝には、前記シャフトの平行面を有する前記突起が嵌合し、前記保持部本体の前記カム溝には、前記第２の駆動部の丸ピンの突起が嵌合することを特徴とする請求項１に記載の汚れ拭取り装置。
【請求項３】
前記ベース部には、前記フェルトを前記保持部のシャフトに押圧する押えローラと、それを介して前記フェルトを前記押えローラにより前記シャフトに押圧するための弾性体とを設けたことを特徴とする請求項１又は２のいずれかに記載の汚れ拭き取り装置。
【発明の詳細な説明】
【技術分野】
【０００１】
本発明は、汚れ拭き取り装置に係り、より特別には、シール剤塗布装置等のノズルに付着するシール剤やそれに付着する汚れを拭き取り、ノズルを常に清浄にするための汚れ拭き取り装置に関する。
【背景技術】
【０００２】
シール剤塗布装置のノズルを清浄にするための汚れ拭き取り装置の従来例について図５と６に示す。図５と６はそれぞれ、従来の汚れ拭き取り装置５０の構成を示す正面図と側面図である。ノズルの汚れ等を拭き取るためのフェルト２は、対のカセットとして形成される保持部３のシャフト８にそれぞれエンドレスに巻き付けられている。この際、フェルト２を回転移動させながら常にフェルト２の新しい清浄部で拭き取る構造になっており、フェルト２の全面が使用された時はフェルト２を新しいものと交換することになる。フェルト２の回転移動は、シャフト８を第１の駆動部５により回転することにより実施される。フェルト２の交換は、保持部３ごと交換することにより容易に実施出来る。保持部３はベース部４に着脱可能に保持されているが、保持部３のベース部からの着脱を容易にするために、保持部３には第１の駆動部５及びその他の駆動部は取り付けられず、ベース部４に取り付けられている。従って、保持部３をベース部から取り外す際には、保持部３にシャフト８を介して連結される第１の駆動部５を保持部３から分離する必要がある。この際、フェルト２がエンドレスであるためシャフト８を保持部３から引き抜くことが必要である。ここに示す従来の汚れ拭き取り装置の構成は、基本的には本発明の汚れ拭き取り装置と類似しており、後述されるので詳細な説明は省略する。
【０００３】
このように、従来の汚れ拭き取り装置ではフェルトを回転移動させながら常に新しい清浄部で拭き取る構造になっており、フェルトの全面が使用された時はフェルトを新しいものと交換することになる。この時、フェルトを回転可能に支持するシャフトを取外す必要があり、フェルト交換に時間がかかるという問題があった。
【発明の開示】
【発明が解決しようとする課題】
【０００４】
本発明は、上述した事情に鑑みなされたもので、フェルトの交換が容易な汚れ拭き取り装置を提供することを目的とする。
【課題を解決するための手段】
【０００５】
本発明の請求項１の形態では、上述した目的を達成するために、ノズル等の対象物の汚れを拭き取るための汚れ拭き取り装置は、汚れを拭き取るためのエンドレスタイプのフェルトと、前記フェルトを移動可能に保持する一対の保持部であって、組立時に前記対の保持部の間に前記対象物を挿入可能である保持部と、前記保持部を取付け取外し可能で且つ揺動可能に支持するベース部と、前記フェルトを前記保持部において移動させる第１の駆動部と、前記保持部を揺動開閉する第２の駆動部とを具備する。前記各保持部は、ベースとなる保持部本体と、両端にフェルトを支持するシャフトとを具備しており、前記各シャフトには平行面を有する突起が具備されて、前記第１の駆動部端には直線状の溝が形成されており、前記保持部本体には、一方はテーパー状に他方は傾斜した平行状のカム溝が対で形成されており、前記第２の駆動部には丸ピンの突起が設けられることを特徴とする。
【０００６】
この様に構成することにより、即ち、特に、第１の駆動部に溝を、シャフトに突起を設けたことにより、フェルト交換時において、フェルトを具備する保持部のベース部からの着脱がワンタッチで可能になり、装着時は駆動部の回転が確実にシャフトに伝達されフェルトを移動させることができるようになる。上記作用が功奏し、即ち、第１の駆動部に溝を、シャフトに突起を設けたこと、および、弾性体により押えローラでフェルトをシャフトに押圧することにより、フェルトの交換が容易な汚れ拭取り装置を提供できる。
【０００７】
本発明の請求項２の形態では、上記請求項１の形態において、前記第１の駆動部端の溝には、前記シャフトの平行面を有する突起が嵌合し、前記保持部本体のカム溝には、前記第２の駆動部の丸ピンの突起が嵌合することを特徴とする。
【０００８】
本形態によれば、フェルト交換時において、フェルトを具備する保持部のベース部からの着脱の形態をより具体化する。
【０００９】
本発明の請求項３の形態では、上記請求項１又は２のいずれかの形態において、前記ベース部には、フェルトを前記保持部のシャフトに押圧する押えローラと、それを介して前記押えローラによりフェルトをシャフトに押圧するための弾性体とを設けたことを特徴とする。
【００１０】
本形態によれば、弾性体を介して押えローラでフェルトをシャフトに押圧することにより、シャフトの回転によりフェルトが確実に移動するようになる。
【発明を実施するための最良の形態】
【００１１】
以下、図面に基づいて本発明の実施の形態の汚れ拭取り装置を詳細に説明する。図１から４は、本発明に係る汚れ拭き取り装置の１つの実施の形態を図解的に示しており、図１は本発明の装置の概略的な構成を示す側面図であり、図２は該装置の概略的正面図である。
図１から４を参照すると、図５と６に開示される汚れ拭き取り装置の従来例の要素部分と同じ又は同様である図１から４の要素部分は、同じ参照符号により指定されている。
【００１２】
まず図１を参照すると、本発明の１つの実施の形態の汚れ拭き取り装置１の構成の詳細が示されている。汚れ拭き取り装置１は、ノズル（図示されない）の汚れを拭き取るエンドレスのフェルト２と、エンドレスのフェルト２を移動可能に保持する一対の保持部３と、保持部３を取付け取外し可能で且つ揺動可能に支持するベース部４と、フェルト２を移動させる一対の第１の駆動部５と、保持部３を揺動開閉する一対の第２の駆動部６と、フェルト２を支持するシャフト８とを具備する。本実施の形態の汚れ拭き取り装置１は、保持部側機構とベース部側機構とに大別できる。保持部側機構には、保持部３と、フェルト２と、シャフト８とが含まれる。ベース部側機構には、ベース部４と、第１の駆動部５と、第２の駆動部６とが含まれる。保持部は、ベースとなる保持部本体７を具備する。
【００１３】
一対の保持部３は、一対のカセットとして形成されており、図１及び２に示されるように、組立時にベース部４に保持されると共に、ベース部４から抜き出すように取り外し可能である。保持部３をベース部４から取り外した状態を、図１と２の上側に示している。フェルト２は、保持部３のそれぞれのカセットのほぼ全幅にわたってエンドレス状態で装着される。対のカセットのノズル側の先端部が図４に拡大して示されており、ノズル（図示されない）はその汚れを拭き取る際に、保持部３の対のカセットのそれぞれに巻き付けられたフェルト２の間に挟まれるように挿入される。
【００１４】
上記構成にて本実施の形態の汚れ拭き取り装置の作動を説明するが、先ずノズルの汚れ拭き取り方法について説明する。まず、第２の駆動部６を作動して保持部３を開いた状態にし、次に、フェルト２の間にノズル（図示されない）を位置決めする。第２の駆動部６は、対の保持部３に対応するように、全く同じものが対で具備されている。第２の駆動部６は、エアシリンダ及び丸ピン突起１２を具備しており、エアシリンダにより丸ピン突起１２を上下動するが、丸ピン突起１２が保持部３側において、図１に示されるように設けられたカム溝１０内を上下動することにより、保持部３を揺動させて、組み合わされた保持部３の図４示す先端部を開閉する。保持部本体７には、一方はテーパー状で他方は傾斜した平行状のカム溝１０が形成される。カム溝１０は図１に示されるように、中央より上側がテーパ状に上方向に開き、下側が下方向において中心方向に傾斜するように形成される。丸ピン突起が、図１の位置から、カム溝１０内を下に移動すると、保持部３は閉じて、上に移動すると保持部３は開く。
【００１５】
次に、第２の駆動部６を作動し保持部３を閉じてフェルト２でノズルを挟む。この閉じた状態が図４に示されるが、ノズルがない状態で示されている。次に、ノズルをフェルト２から抜きように動かすことにより、ノズルの汚れをふき取る。次に、第２の駆動部６を作動させ保持部３を開くと同時に第１の駆動部５を作動させ保持部３のシャフト８を回転させて、フェルト２を一定量移動させる。このようにして、絶えずフェルト２の清浄部を使用してノズルの汚れを拭取ることができる。第１の駆動部５は、保持部３をベース部４に組み込む際にシャフト８に連結される。図示されない電動モータ及び減速機機構によりシャフト８を回転し、シャフト８に保持されるフェルト２を必要量移動する。また、フェルト２の幅を広くしてノズルの位置をずらして、フェルトの幅内でノズルを移動させてフェルト２の清浄部を使用することによりフェルトの交換間隔を長くすることもできる。
【００１６】
この様な作動をする汚れ拭き取り装置１において、保持部３のベース部４からの取り外しを可能にするためには、シャフト８と第１の駆動部５との着脱、及び保持部本体７に形成されたカム溝１０と第２の駆動部６との着脱が可能である必要である。そのため、シャフト８には矩形の平行面を有する突起１１が設けられており、第１の駆動部５の端部には直線状で突起１１に適合する形状の溝９が形成されている。更に、第２の駆動部６は前述のごとく丸ピンの突起１２を具備する。また図１に示されるように、ゴム等の弾性体１９を具備する押えローラ１８でフェルト２をシャフト８に押圧することにより、フェルト２は滑ることなく確実に移動できる。
【００１７】
上記構成にて、フェルト２の交換時の作動、即ち保持部３のベース部４への取り付け及びその際の第１と第２の駆動部５と６の保持部３との嵌合について説明する。まず、対のカセットにより構成される保持部３にフェルト２を取付ける。次に、フェルト２を取付けた保持部３を、図１に示されるようにベース部４に挿入する。保持部３をベース部４に挿入する時、第１の駆動部５の溝９にシャフト８の突起１１を嵌合する。この嵌合の詳細を、図３に示しており、シャフト８の突起１１の平行面と駆動部５の溝９の平行面を平行にしておけば、シャフト８の突起１１を上から挿入するように駆動部５の溝９に嵌合できる。
次に、第２の駆動部６をベース部４に取付ける。この時、第２の駆動部６の突起１２に対面する保持部３のカム溝１０は開いているので、カム溝１０に第２の駆動部６の突起１２が嵌合される。このようにしてフェルトの交換取付けが完了する。
また、保持部３のベース部４からの取り外しは、保持部３を上方向に上昇し、丸ピン突起１２をカム溝１０から引き抜くように保持部３を横方向に移動することにより、容易に実施できる。
【００１８】
次に上記実施の形態の効果及び作用について説明する。本発明の１つの実施の形態の汚れ拭き取り装置により以下の効果が期待できる。
・特に、シャフトに突起を、駆動部に溝を設けたことにより、フェルト交換時において、フェルトを具備する保持部のベース部からの着脱がワンタッチで可能になり、装着時は駆動部の回転が確実にシャフトに伝達されフェルトを移動させることができるようになる。
・また、弾性体により押えローラでフェルトをシャフトに押圧することにより、シャフトの回転によりフェルトが確実に移動するようになる。
・上記作用が功奏し、即ち、シャフトに突起を、駆動部に溝を設けたこと、および、弾性体により押えローラでフェルトをシャフトに押圧することにより、フェルトの交換が容易な汚れ拭取り装置を提供できる。
【００１９】
上記の説明において、第１の駆動部は、電動モータと減速機との機構ととして説明されたが、該機構がこれ以外の、例えばエアモータ、油圧モータ等の、既知の回転駆動装置であっても良い。
また、上記において記載した、あるいは添付図面に示した実施の形態において、シャフト８に突起１１が形成され、第１の駆動部に溝９が形成されているが、この逆、即ちシャフト８に溝が形成され、第１の駆動部に突起が形成されても良い。
【００２０】
上記の実施の形態は本発明の一例であり、本発明は、該実施の形態により制限されるものではなく、請求項に記載される事項によってのみ規定されており、上記以外の実施の形態も実施可能である。
【図面の簡単な説明】
【００２１】
【図１】図１は、本発明の１つの実施の形態の汚れ拭き取り装置を説明する側面図である。
【図２】図２は図１の装置の正面図を示す。
【図３】図３は、シャフト８の突起１１の第１の駆動部５の溝９への嵌合の状態を示す、拡大説明図（（Ａ），（Ｂ）はそれぞれシャフトの頂面図及び側面図、（Ｃ）は駆動部軸部の側面図）である。
【図４】図４は図１の装置の保持部の先端部の図解的詳細図である。
【図５】図５は、従来の汚れ拭取り装置の説明する側面図である。
【図６】図６は図５の装置の正面図を示す。
【符号の説明】
【００２２】
１    汚れ拭き取り装置
２    フェルト
３    保持部
４    ベース部
５    第１の駆動部
６    第２の駆動部
７    保持部本体
８    シャフト
９    溝
１０    カム溝
１１    突起
１２    丸ピン突起
１８    押えローラ
１９    弾性体
【図１】
2006021131.tif 000003
【図２】
2006021131.tif 000004
【図３】
2006021131.tif 000005
【図４】
2006021131.tif 000006
【図５】
2006021131.tif 000007
【図６】
2006021131.tif 000008